(57)【要約】【課題】汎用品の電動機を使用しても、電動機の冷却が可能で量産性に優れた安価な電動機を提供する。【解決手段】本電動機は、電動機のケーシングの外周に別体のヒートシンクをリング状に取り付け、このヒートシンクは複数個の円弧形状のヒートシンク部材に分割され、この各ヒートシンク部材は異なる形状をなす複数のフィンを備える。【選択図】  図３
2008160918.tif 000002
【特許請求の範囲】
【請求項１】
板状ベースの外表面に複数のフィンを突設させると共に両端部に係合部を形成させた帯状のヒートシンク部材を、係合部を介して複数個連結して、電動機のケーシングの外周面にリング状に取り付けたヒートシンクを備えたことを特徴とする電動機。
【請求項２】
請求項１記載の電動機に送風ファンを連結して構成する送風機をユニット本体内に配設したことを特徴とする空気調和機。
【発明の詳細な説明】
【技術分野】
【０００１】
本発明は、特に冷却構造を改良した電動機およびこれを備えた空気調和機に関する。
【背景技術】
【０００２】
従来、空気調和機において、本体内に配設される送風機などに使用される電動機は、使用時に電動機内部の巻線から発熱が生じるため、その発熱による電動機の劣化を防ぐために電動機のケーシング外面を冷却する必要がある。
【０００３】
そのため、電動機のケーシング外周に放熱フィンを設け、放熱効果を高めたものがある（例えば、特許文献１参照）。
【０００４】
しかしながら、従来の電動機は、放熱フィンがケーシング自体に一体的に形成しているため、電動機が専用品となり、市販の汎用品が使用できないため電動機が高価になるといった問題があった。
【特許文献１】実開平４−１０００９８号公報
【発明の開示】
【発明が解決しようとする課題】
【０００５】
本発明は上述した事情を考慮してなされたもので、標準品の電動機を使用しても、電動機の冷却が可能で量産性に優れた安価な電動機およびこれを備えた空気調和機を提供することを目的とする。
【課題を解決するための手段】
【０００６】
上述した目的を達成するため、本発明に係る電動機および電動機を配設した空気調和機は、板状ベースの外表面に複数のフィンを突設させると共に両端部に係合部を形成させた帯状のヒートシンク部材を、係合部を介して複数個連結して、電動機のケーシングの外周面にリング状に取り付けたヒートシンクを備えたことを特徴とする。
【発明の効果】
【０００７】
本発明に係る電動機によれば、汎用品の電動機を使用しても、電動機の冷却が可能で量産性に優れた安価な電動機を提供することができる。
【発明を実施するための最良の形態】
【０００８】
本発明に係る電動機について添付図面を参照して説明する。
【０００９】
図１は本発明の一実施形態に係る電動機を組み込んだ室内機の一部を切欠して示す概念図、図２は本発明の一実施形態に係る電動機に送風ファンを連結して構成する送風機の斜視図である。
【００１０】
図１および図２に示すように、本発明の一実施形態に係る送風ファン２と電動機３を連結して構成する送風機１は、例えば、空気調和機の室内機２１に組み込んで用いるもので、この室内機２１には、送風機１の他に、この送風機１から送風を受ける室内熱交換器２２などが収容され、送風機１は室内熱交換器２２に沿って配される横流ファン２と、この横流ファン２の横方向に電動機３が配設される。
【００１１】
この電動機３は汎用品であり、ケーシング４は平面円筒形状をなす。
【００１２】
図３に示すように、電動機３のケーシング４の反回転軸３ａ側の半分の部位には、その外周に別体のヒートシンク５が取り付けられる。
【００１３】
図４、図５に示すように、ヒートシンク５は、アルミニウム製で、板状ベース６ａの外表面に複数のフィン６ｂを突設させると共に両端部に折り曲げた係合部６ｃ、６ｃを形成させた帯状のヒートシンク部材６を構成している。このヒートシンク部材６は、製造時は、フラットな形状をなし、ケーシング４に巻き付けてリング状に組み立てて取り付ける。即ち、この板状ベース６ａを複数枚例えば２個使用して、電動機３のケーシング４の外周面の曲面形状に合わせて湾曲させて、複数個例えば２個の円弧形状に変形させたヒートシンク部材６を夫々の係合部６ｃ、６ｃを連結してリング状として、電動機３のケーシング４の外周面に密着するように装着させる。
【００１４】
この各ヒートシンク部材６に形成するフィン６ｂは、異なる形状をなす複数の高さのフィンで構成し、例えば、円弧の中心部位近傍を高めに構成し、両端部近傍を低めに構成させている。
【００１５】
なお、フィン６ｂの形状は、フィン高さを異ならしめる他、波形、ひねりの度合などを形成させるものであってもよい。
【００１６】
また、図２、図４及び図５に示すように、各ヒートシンク部材６には、分割形成する複数のヒートシンク部材６を連結して一体的に円弧形状に形成するために、係合部６ｃに組立用ねじ孔７が設けられ、分割形成するヒートシンク部材６を夫々の係合部６ｃ、６ｃを当接させて連結し、接合された係合部６ｃ、６ｃの各ねじ孔７、７を貫通する組立用ねじ８によって固定することで、リング状のヒートシンク５が組み立てられる。
【００１７】
さらに、一方のヒートシンク部材６に、突出部１０を形成し、この突出部１０の内側からリード線１１を引き出し、引き出されたリード線は突出部１０に形成する切欠凹部１２より繰り出されるように構成させている。
【００１８】
上述のように電動機３は上記形状のヒートシンク５を備えるので、一般的に使用されている電動機３にフラットな形状ヒートシンク部材６を巻き付けてリング状に取り付けるため、電動機３に汎用品の使用が可能となり、さらに、ヒートシンク部材６がフラットな形状で成形されるので、成形金型のコストが削減されて、量産性に優れて安価になる。
【００１９】
また、電動機３にヒートシンク５を設けることにより、室内機の限定されたスペースに配置される送風機用の電動機において自然放熱（自然空冷）下で使用しても、電動機３は放熱が行えて冷却され、特に、ヒートシンク部材６が異なる形状をなす複数の高さのフィン６ｂを備えるので、放熱効果が向上する。
【００２０】
ヒートシンク部材６に形成する突出部１０に切欠凹部１２を設け、リード線１１を引き出すので、リード線１１引出部の保護と挟み込みを防止することができる。
【００２１】
なお、図中符号１３は取付孔１３ａを介して、電動機３を室内機２１内に固定するための取付片である。
【００２２】
本実施形態に係る電動機によれば、汎用品の電動機を使用しても、電動機の冷却が可能で量産性に優れた安価な電動機が実現する。
【図面の簡単な説明】
【００２３】
【図１】本発明に係る電動機を組み込んだ室内機の概念図。
【図２】本発明に係る電動機の斜視図。
【図３】本発明に係る電動機に用いる電動機の斜視図。
【図４】本発明に係る電動機に用いるヒートシンクの平面図。
【図５】本発明に係る電動機に用いるヒートシンクの成形後の平面図。
【符号の説明】
【００２４】
１…電動機、２…横流ファン、３…電動機、４…ケーシング、５…ヒートシンク、６…ヒートシンク部材、６ａ…板状ベース、６ｂ…フィン、６ｃ…係合部、７…組立用ねじ孔。
【図１】
2008160918.tif 000003
【図２】
2008160918.tif 000004
【図３】
2008160918.tif 000005
【図４】
2008160918.tif 000006
【図５】
2008160918.tif 000007